(57)【要約】  本発明の一実施例に係る切手カードを利用した切手発行方法は、切手カードの種類によって切手カードの販売手続を提供し、前記切手カードの販売手続を介して切手カードを発行する段階、ユーザ端末から購買要請信号を受信すると、郵便物オプションの選択手続を提供し、前記郵便物オプションの選択手続を介して、選択された情報及び、ユーザーが使用するサービスの種類によって、決済方法を決定する段階、前記決済方法が前払い決済または後払い決済であるか可否によって、決済手続または郵便物登録確認書の出力手続を提供する段階及び、前記決済手続を介して決済が完了されると、切手発行または初日封筒の出力手続を提供する段階を含むことができる。
2019516200.tif 000002
【特許請求の範囲】
【請求項１】
切手カード管理サーバーで実行される切手カードを利用した切手発行方法において、
切手カードの種類によって切手カードの販売手続を提供し、前記切手カード販売手続を介して切手カードを発行する段階と、
ユーザー端末から購買要請信号を受信すると、郵便物オプションの選択手続を提供し、前記郵便物オプションの選択手続を介して、選択された情報及び、ユーザーが使用するサービスの種類によって、決済方法を決定する段階と、
前記決済方法が前払い決済または後払い決済であるか可否によって、決済手続または郵便物登録確認書の出力手続を提供する段階と、及び、
前記決済手続を介して決済が完了されると、切手発行または初日封筒に対する出力手続を提供する段階を含む切手カードを利用した切手発行方法。
【請求項２】
前記切手カード管理サーバが切手カードの種類によって切手カード販売手続を提供し、前記切手カードの販売手続を介して切手カードを発行する段階は、
前記切手カードの種類が一般切手カードであれば、前記一般切手カードに対する切手カードの販売手続を提供する段階と、及び、
前記切手カードの種類が記念切手カードであれば、前記記念切手カードに対する切手カードの競売手続を提供する段階を含む請求項１に記載の切手カードを利用した切手発行方法。
【請求項３】
前記切手カードの種類が記念切手カードであれば、前記記念切手カードに対する切手カードの競売手続を提供する段階は、
切手発行目的、有効期間、国家別貨幣で決定された使用可能金額、固有番号及び、切手カード管理サーバの接続情報を利用して、切手カードを生成する段階と、
前記切手カードに対する切手カードの競売手続を前記ユーザ端末に提供する段階と、及び、
前記の切手カードの競売手続を介した競売に参加したユーザーの中、特定ユーザーを落札者に選定した後、切手カードを発行して落札者に配送処理する段階を含む請求項2に記載の切手カードを利用した切手発行方法。
【請求項４】
前記郵便物オプションの選択手続を介して、選択された情報及び、ユーザーが使用するサービスの種類によって、決済方法を決定する段階は、
前記郵便物オプションの選択手続を介して、選択した郵便物の種類が一般郵便である場合、決済方法を前払いに決定する段階と、
前記郵便物オプションの選択手続を介して、選択された情報を利用して、郵便料金に決済手続を提供する段階と、及び、
前記決済手続を介して郵便料金に対する決済が完了されると、切手発行または初日封筒に対する出力手続を提供する段階を含む請求項１に記載の切手カードを利用した切手発行方法。
【請求項５】
前記郵便物オプションの選択手続を介して、選択された情報及び、ユーザーが使用するサービスの種類によって、決済方法を決定する段階は、
前記郵便物オプションの選択手続を介して、選択した郵便物の種類が書留郵便であっても、ユーザーが使用する印刷デバイスが重量を測定できる印刷デバイスである場合、決済方法を前払いに決定し、前記印刷デバイスから郵便物の重量を受信する段階と、
前記印刷デバイスから受信した郵便物の重量及び、郵便物オプションの選択手続を介して選択された情報を利用して、郵便料金を決定した後、郵便料金に対する決済手続を提供する段階と、及び、
前記郵便物の郵便料金及び、同一線上の郵便物の郵便料金を比較して比較結果によって、ユーザーにペナルティを付与し、ペナルティによって、個人郵便局の持続可否を決定する段階を含む請求項１に記載の切手カードを利用した切手発行方法。
【請求項６】
前記郵便物オプションの選択手続を介して、選択された情報及び、ユーザーが使用するサービスの種類によって、決済方法を決定する段階は、
前記郵便物オプションの選択手続を介して、選択した郵便物の種類が書留郵便であっても、ユーザーがホームピックアップサービスを利用すれば、郵便物登録確認書に対する出力手続を提供する段階と、及び、
郵便局で郵便物の重量が確認されると、前記郵便物の重量及び、郵便物オプション選択手続を介して、選択された情報を利用して、郵便料金を決定した後郵便料金に対する後払い決済を実行する段階を含む請求項１に記載の切手カードを利用した切手発行方法。
【請求項７】
切手カードの種類によって切手カードの販売手続を提供し、前記切手カードの販売手続を介して切手カードを発行し、ユーザ端末からの購買要請信号を受信すると、郵便物オプションの選択手続を提供し、前記郵便物オプション選択手続を介して、選択された情報及び、ユーザーが使用するサービスの種類によって、決済方法を決定し、前記決済方法が前払いまたは後払い決済であるか可否によって、決済手続または郵便物登録確認書出力手続を提供し、前記決済手続を介して決済が完了されると、切手発行または初日封筒に対する出力手続を提供する切手カード管理サーバと、
前記切手カード管理サーバに接続して、前記切手カードの販売手続を提供受け、前記切手カードの販売手続を介して切手カードの購買を実行し、前記郵便物オプションの選択手続を介してオプションを選択した後、前記郵便物オプションの選択手続を介して、選択された情報によって算出された郵便料金に対する決済を実行し、前記決済が完了されると、切手発行または初日封筒に
対する出力信号を提供するユーザー端末と、及び、
前記ユーザ端末から受信した出力信号によって出力を処理する印刷デバイスを含む
切手カードを利用した切手発行システム。
【請求項８】
前記切手カード管理サーバは、
前記切手カードの種類が一般切手カードであれば、前記一般切手カードに対する切手カードの販売手続を提供し、前記切手カードの種類が記念切手カードであれば、前記記念切手カードに対する切手カードの競売手続を提供する請求項7に記載の切手カードを利用した切手発行システム。
【請求項９】
前記切手カード管理サーバは、
切手発給目的、有効期間、国家別貨幣で決定された使用可能金額、固有番号及び、切手カード管理サーバの接続情報を利用して、切手カードを生成し、前記切手カードに対する切手カードの競売手続を前記ユーザ端末に提供し、前記切手カードの競売手続を介して競売に参加したユーザーの中、特定ユーザーを落札者に選定した後、切手カードを発行して落札者に発送処理する請求項8に記載の
切手カードを利用した切手発行システム。
【請求項１０】
前記切手カード管理サーバは、
前記郵便物オプションの選択手続を介して、選択した郵便物の種類が一般郵便である場合、決済方法を前払い決済に決定し、前記郵便物オプションの選択手続を介して選択された情報を利用して、郵便料金に対する決済手続を提供し、前記決済手続を介して郵便料金に対する決済が完了されると、切手発行または初日封筒の出力手続を提供する請求項7に記載の切手カードを利用した切手発行システム。
【請求項１１】
前記切手カード管理サーバは、
前記郵便物オプションの選択手続を介して、選択した郵便物の種類が書留郵便であっても、ユーザーが使用する前記印刷デバイスが重量を測定することができる印刷デバイスの場合、決済方法を前払い決済に決定し、前記印刷デバイスから郵便物の重量を受信し、前記印刷デバイスから受信した郵便物の重量及び、郵便物オプションの選択手続を介して、選択された情報を利用して、郵便料金を決定した後、郵便料金に対する決済手続を提供し、切手発行または初日封筒に対する出力手続を提供し、前記郵便物の郵便料金及び、同一線上の郵便物の郵便料金を比較して比較結果によってユーザーにペナルティを付与し、ペナルティによって、個人郵便局の持続可否を決定する請求項１0に記載の切手カードを利用した切手発行システム。
【請求項１２】
前記切手カード管理サーバは、
前記郵便物オプションの選択手続を介して、選択した郵便物の種類が書留郵便であっても、ユーザーがホームピックアップサービスを利用すれば、郵便物登録確認書に対する出力手続を提供し、郵便局で郵便物の重量が確認されると、前記郵便物の重量及び、郵便オプション選択手続を介して、選択された情報を利用して、郵便料金を決定した後、郵便料金に対する後払いを実行し、前記郵便物の郵便料金及び、同一線上の郵便物の郵便料金を比較して比較結果によって、ユーザーにペナルティを付与し、ペナルティによって、個人郵便局の持続可否を決定する切手カードを利用した切手発行システム。
【発明の詳細な説明】
【技術分野】
【０００１】
本発明の実施例らは、切手カードを利用した切手発行システム及びその実行方法に関する。
【背景技術】
【０００２】
現在、一般的に発行、流通されている紙に印刷して使用する切手は1840年に英国で初めて発行された以後、約170年を経て今に至っている。以前は切手の大部分が安否を伺う書信往来だったが、今に至って通信手段の発達で、スマートフォンのような個人装備がその役割を代わりにしている。
【０００３】
しかし、重要な書類や小包を送る場合が増加し、これによって郵便の必要性はさらに増加されている実情である。書留や小包のような場合には、高額であり、重量によって料金の種類が多くなり、切手の組み合わせ（切手料金を合わせるための）と直接糊付けをする不便を甘受しなければならない。このような不便な現実に対する代案として、多くの国々が簡単に切手料金を出力することができるステッカーを使用する実情である。
【０００４】
このような現実で郵便物を送るために切手を使用することがより不便な時代となった。したがって、現在、切手の機能は、郵便料金決済機能というより、広報及び、収集機能に徐々にその比重が移転されているし、多くの国々が切手を郵便用というより、コレクターを対象とした収益性に重点を置いて発行していることが現実である。
【０００５】
韓国公開特許第10-2011-0010557号は、モバイル切手発行システム及びその方法に関するもので、ユーザーがモバイルを利用して、いつでもどこでも郵便サービスを利用することができるようにするリアルタイムのモバイル切手発行システム及び、方法が開示されている。
【発明の概要】
【発明が解決しようとする課題】
【０００６】
本発明は、切手の機能を持っている切手カードを発行することにより、切手カードの前面に表示された金額がすべて消尽されるまで、繰り返し使用するようにする切手カードを利用した切手発行システム及び、その実行方法を提供することを目的とする。
【０００７】
また、本発明は、切手カードの競売を介して、発生された利益金を基金募金に使用することができるようにする切手カードを利用した切手発行システム及び、その実行方法を提供することを目的とする。
【０００８】
また、本発明は、切手カードを利用して、郵便料金を収納した後、個人プリンタを利用して切手発行または初日封筒を出力して使用することができるようにする切手発行システム及び、その実行方法を提供することを目的とする。
【０００９】
また、本発明は、郵送発送情報を登録及び、郵便料金収納後に郵便物登録確認書を出力して郵便物に付着した後、郵便局職員によって郵便物が収去されて発送するようにすることにより、切手カード所持者が郵便局まで行かなければならない不便を経験しないようにする切手発行システム及び、その実行方法を提供することを目的とする。
【００１０】
本発明が解決しようとする課題は、以上で言及した課題（ら）に制限されないし、
言及されなかったまた他の課題（ら）は下の記載から当業者に
明確に理解されることができる。
【課題を解決するための手段】
【００１１】
実施例の中で、切手カードを利用した切手発行方法は、切手カードの種類によって切手カードの販売手続を提供し、前記切手カードの販売手続を介して切手カードを発行する段階、ユーザ端末から購買要請信号を受信すると、郵便物オプションの選択手続を提供し、前記郵便物オプションの選択手続を介して、選択された情報及び、ユーザーが使用するサービスの種類によって、決済方法を決定する段階、前記決済方法が前払い決済または後払い決済であるかの可否によって、決済手続または郵便物登録確認書の出力手続を提供する段階及び、前記決済手続を介して決済が完了されると、
切手発行または初日封筒に対する出力手続を提供する段階を含む。
【００１２】
実施例らの中で、切手カードを利用した切手発行システムは、切手カードの種類によって切手カードの販売手続を提供し、前記切手カードの販売手続を介して切手カードを発行し、ユーザ端末からの購買要請信号を受信すると、郵便物オプション選択手続を提供し、前記郵便物オプションの選択手続を介して、選択された情報及び、ユーザーが使用するサービスの種類によって、決済方法を決定し、前記決済方法が前払い決済または後払い決済であるかの可否によって、決済手続または郵便登録確認書の出力手続を提供し、前記決済手続を介して決済が完了されると、切手発行または初日封筒に対する出力手続を提供する切手カード管理サーバ、前記切手カード管理サーバに接続して、前記切手カードの販売手続を提供受けて、前記切手カードの販売手続を介して切手カードの購買を実行し、前記郵便物オプションの選択手続を介してオプションを選択した後、前記郵便物オプションの選択手続を介して、選択された情報によって算出された郵便料金に対する決済を実行し、前記決済が完了されると、切手発行または初日封筒に対する出力信号を提供するユーザー端末及び、前記ユーザー端末から受信した出力信号によって出力を処理する印刷デバイスを含む。
【００１３】
その他の実施例の具体的な事項は、詳細な説明及び、添付図面に含まれている。
【００１４】
本発明の長所及び/または特徴、そして、それらを達成する方法は、添付される図面と一緒に詳細に後述されている実施例を参照すると明確になる。
しかし、本発明は、以下で開示される実施例に限定されるものではなく、お互いに違う様々な形態で具現できる。ただ、本実施例は、本発明の開示が完全になるようにし、本発明が属する技術分野で通常の知識を有する者に発明の範疇を完全に知らせるために提供されるものであり、本発明は、請求項の範疇によって定義されるだけである。明細書全体にわたって同一の参照符号は、同一の構成要素を示す。
【発明の効果】
【００１５】
本発明によると、切手の機能をもっている切手カードを発給することにより、切手カードの前面に表示された金額が消尽されるまで、繰り返し使用するという長所がある。
【００１６】
また、本発明によると、切手カードの競売を介して発生された利益金を基金募金に使用することができるという長所がある。
【００１７】
また、本発明によると、切手カードを利用して、郵便料金を収納した後、個人プリンタを利用して、切手発行または初日封筒を出力して使用することができるという長所がある。
【００１８】
また、本発明によると、郵便発送情報を登録及び、郵便料金収納後に郵便物登録確認書を出力して郵便物に付着した後、郵便局職員によって郵便物を収去して発送することにより、切手カード所持者が郵便局まで行かなければならない不便を経験しないという長所がある。
【図面の簡単な説明】
【００１９】
【図１】本発明の一実施例に係る切手カードを利用した切手発行システムを示すネットワーク構成図である。
【図２】図1の実行過程を示す例示図である。
【図３】図1の実行過程を示す例示図である。
【図４】本発明の一実施例に係る切手カードを示す例示図である。
【図５】本発明の一実施例に係る切手カードを示す例示図である。
【図６】本発明の他の一実施例に係る切手カードを利用した切手発行システムを示すネットワーク構成図である。
【図７】図6の実行過程を示す例示図である。
【図８】本発明のまた他の一実施例に係る切手カードを利用した切手発行システムを示すネットワーク構成図である。
【図９】図8の実行過程を示す例示図である。
【図１０】図8の実行過程を示す例示図である。
【図１１】本発明のまた他の一実施例に係る切手カードを利用した切手発行システムを示すネットワーク構成図である。
【発明を実施するための形態】
【００２０】
以下では、添付された図面を参照して、本発明の実施例を詳細に説明する。
【００２１】
本明細書で使用される用語の中、「切手カード」は、郵便料金を決済の時に使用することができるカードで、クレジットカード、キャッシュカードなどで具現することができる。切手カードは誰に発行された一般切手カード及び、競売手続を介して発行される記念切手カードを含む。
【００２２】
前記の切手カードの前面に表示される金額は、郵便料金を決済することができる金額を意味する。このような金額は、世界の貨幣基準であるドルとし、状況によって変更されることができる。
【００２３】
図1は、本発明の一実施例に係る切手カードを利用した切手発行システムを示すネットワーク構成図である。
【００２４】
図1を参照すると、切手カード管理システムは、切手カード管理サーバ（100）、ユーザー端末（200）及び、出力デバイス（300）を含む。
【００２５】
切手カード管理サーバ（100）は、切手カードの種類によって切手カードの販売手続を提供し、切手カードの販売手続を介して切手カードの販売が完了されると、切手カードを発行する。
【００２６】
一実施例で、切手カード管理サーバ（100）は、切手カードの種類が一般切手カードの場合に、切手カードの販売手続を介して特定一般切手カードの販売が完了すると、特定一般切手カードを配送処理する。ここで、一般切手カードは誰も購買して郵便料金決済の時に、使用できるようにするカードを意味する。
【００２７】
他の一実施例で、切手カード管理サーバ（100）は、切手カードの種類が記念切手カードの場合に、切手カードの競売手続を提供し、切手カードの競売手続を介して競売に参加したユーザーの中、落札者に切手カードを発行する。
【００２８】
このために、切手カード管理サーバ（100）は、切手の発給目的、有効期間、国家別貨幣として決定された使用可能金額、固有番号及び、切手カード管理サーバの接続情報を利用して切手カードを生成した後、切手カードを利用して切手カードの競売手続をユーザー端末（200）に提供する。
【００２９】
一実施例で、切手カード管理サーバ（100）は、固有番号を記念数字で決定することにより、ユーザーによる入札競争を誘発することができる。例えば、固有番号が「601224」の場合、誕生日が1960年12月24日であるユーザーが好むことができる。
【００３０】
他の一実施例では、切手カード管理サーバ（100）は、国家信用度と販売促進のために発行日から一定期間（例えば、50年、100年）以上の有効期間を設定することができる。
【００３１】
その次に、切手カード管理サーバ（100）は、切手カードの競売手続を介してユーザー端末（200）から、特定切手カードの競売入札申請信号が受信されると、競売入札申請信号をもとに、ユーザーの入札金額と切手カードの前面に表示された金額を比較して入札金額が切手カードの前面に表示された金額以上の場合にのみ競売に入札するようにする。
【００３２】
また、切手カード管理サーバ（100）は、切手カードの競売手続を介して競売に参加したユーザーの中、特定ユーザーを落札者に選定し、切手カードを利用して、落札者によって要請されたカード発行方法（例えば、無孔または有孔）によって切手カードを発行して、前記落札者に配送処理する。
【００３３】
つまり、本発明は、切手カードが発行される前に注文を受けるから、落札者の好みによって無孔または有孔を選択できるようにすることにより、ユーザーの好みを配慮し、切手カードの希少性を倍加させることができる。
【００３４】
このとき、切手カード管理サーバ（100）は、切手カードを利用して、切手カードを発行する時に、落札者の情報（たとえば、英文の名前）を刻印することにより、最初の切手カードを購買するための入札競争を誘発し、ユーザーの購買意欲を刺激することができる。
【００３５】
前記のように競売が完了した後、切手カード管理サーバ（100）は、切手カードの中で落札されなかった切手カードを焼却した後、切手カードのリストを更新する。つまり、切手カード管理サーバ（100）は、切手カードを焼却した後、焼却したリストをアップデートして、ユーザーに知らせ、切手カードリストから切手カードの数量を減らす。
【００３６】
従来のアナログ時代に使い捨て切手は、発行の以後、発行量の調整ができなかったが、デジタル時代にデジタル切手である切手カードは発行量の公式的な加減が可能となる。このようになると、切手カードの相場変動により、株式市場のように透明な購買競争を誘発させるきっかけになることができる。
【００３７】
切手カード管理サーバ（100）は、切手カード別に、未使用の切手カード及び、使用済みの切手カードそれぞれの情報を提供する。このとき、未使用の切手カードの価格が上昇する場合希少価値の増加で、郵便料金の納付用で切手カードを使用する頻度を低めることができて、切手カードの前面に表示された金額くらい発行国の収益増大につながることができる。
【００３８】
切手カード管理サーバ（100）は、ユーザーに発行された切手カードそれぞれに対するモバイル切手カードを発行して、該当ユーザーのユーザー端末（200）に提供する。これによって、切手カード管理サーバ（100）は、切手カードを所持しなくても、モバイル切手カードを利用して、郵便料金を収めることができる。
【００３９】
切手カード管理サーバ（100）は、ユーザー端末（200）から購買要請信号を受信すると切手、封筒、カシェ（cachet）、ビニールカバー、郵便物の種類などを選択することができる郵便物オプションの選択手続を提供する。その次に、切手カード管理サーバ（100）は、郵便物オプションの選択手続を介して、選択された情報を利用して、郵便料金を決定する。
【００４０】
このとき、切手カード管理サーバ（100）は、郵便物オプションの選択手続を介して封筒に挿入される絵のイメージが選択された場合、封筒に挿入される絵のイメージの種類によって料金を賦課する。
【００４１】
もし、封筒に挿入される絵のイメージの種類が切手カード所持者によってアップロードされたイメージの場合は、切手カード管理サーバ（100）は、封筒に挿入されるイメージに対しては料金を賦課しない。
【００４２】
これに反して、封筒に挿入される絵のイメージの種類が他のユーザーによってアップロードされたイメージである場合、他のユーザーが決定した金額または他のユーザーの種類により、あらかじめ決定された金額の手数料を請求する。たとえば、他のユーザーが有名な画家である場合には画家等級によって、あらかじめ決定した金額の料金を賦課する。
【００４３】
切手カード管理サーバ（100）は、郵便物オプションの選択手続を介して、選択された情報を
利用して郵便料金を決定されたかの可否によって、郵便料金に対する決済手続を提供し、決済手続を介して郵便料金納付が処理されると、決済完了信号をユーザー端末（200）に提供する。
【００４４】
一実施例では、切手カード管理サーバ（100）は、郵便物オプションの選択手続を介して選択した郵便物の種類が一般郵便である場合、郵便物オプションの選択手続を介して、選択された情報を利用して、郵便料金に対する決済手続を提供する。このような実施例の場合、切手カードの所持者が郵便料金を決済した後、自分の印刷デバイスを利用して切手発行または初日封筒を出力して使用する。
【００４５】
他の一実施例で、切手カード管理サーバ（100）は、郵便物オプションの選択手続を介して選択した郵便物の種類が書留郵便である場合、ユーザーがホームピックアップサービスを利用すれば、郵便物登録確認書を提供する。このような実施例の場合、切手カードの消費者が郵便物登録確認書を出力した後、郵便物に貼り付け郵便局職員に伝達すれば、郵便局職員によって収去された郵便物は、郵便局で書留郵便の重量が測定され、書留郵便の重量及び、郵便物オプションの選択手続を介して、選択された情報を利用して、後払いで郵便料金を決済する。
【００４６】
また他の実施例では、切手カード管理サーバ（100）は、郵便物オプションの選択手続を郵便物の種類が書留郵便であるが、ユーザーが使用する印刷デバイスが重量を測定することができる専用のプリンタの場合に、印刷デバイスから郵便物の重量を受信し、郵便物の重量及び、郵便物オプションの選択手続を介して、選択された情報を利用して、郵便料金を決定した後、郵便料金に対する決済手続を提供する。このような実施例の場合に、切手カード所持者が郵便物が書留郵便でも郵便料金を決済した後に、印刷デバイスを利用して切手発行または初日封筒を出力して使用する。
【００４７】
前記の実施例では、郵便物の重量の正確性によって郵便料金が異なることができるから、個人郵便局を運営するユーザーの郵便物と郵便局に訪問し、決済をするユーザーの郵便物が同一の重量であっても料金が異なって賦課されることができる。このために、切手カード管理サーバ（100）は、郵便物の重量の正確性をチェックして、個人郵便局を運営するユーザーの郵便物及び、郵便局を訪問し、決済をするユーザーの郵便物の郵便料金をそれぞれ比較した後、比較結果によって、ユーザーにペナルティを付与し、ペナルティによって、個人郵便局の持続可否を決定する。
【００４８】
切手カード管理サーバ（100）は、前記のように切手カードを利用して決済を実行する時に、切手カードの前面に表示された金額の中、残った金額及び、郵便料金を比較して決済可能か可否を確認した後、確認の結果、残った金額が郵便料金以上であれば切手の購買を処理した後、残った金額を更新する。
【００４９】
つまり、切手カード管理サーバ（100）は、切手カードの前面に表示された金額の中、残った金額が郵便料金以上であれば切手の購買を処理した後、残った金額を更新する。
【００５０】
切手カード管理サーバ（100）は、ユーザー端末（200）から受信された受領方法によって、ユーザー端末（200）と連結された出力デバイス（300）を介して、発行初日封筒を出力する手続を提供するとか、ユーザー端末（200）から受信された配送地情報によって切手と記念日スタンプが印刷された初日封筒を配送処理する。
【００５１】
ユーザー端末（200）は、切手カード管理サーバ（100）に接続して、切手カードの販売手続を介して切手カードを購買し、切手カードを利用して、郵便料金を決済して使用するユーザーが保有する端末である。このようなユーザー端末（200）は、PDA、スマートフォンなどで具現することができる。
【００５２】
一実施例で、ユーザー端末（200）は、切手カード管理サーバ（100）に接続して一般切手カードに対する切手カードの販売手続を受信し、切手カードの販売手続を介して一般切手カードを購買することができる。
【００５３】
他の一実施例で、ユーザー端末（200）は、切手カード管理サーバ（100）に接続して記念切手カードに対する切手カードの競売手続を受信し、切手カードの競売手続を介して切手カードの競売に参加する。ユーザー端末（200）は、切手カードの競売手続を介して切手カードの競売に参加する時に入札金額を設定して競売に参加する。このとき、入札金額は、切手カードの前面に表示された金額以上でなければならない。
【００５４】
前記の実施例で、ユーザー端末（200）は、切手カード管理サーバ（100）からの競売落札のお知らせ信号を受信すると、落札者の情報（たとえば、英文の名前）及び、カード発行方法（例えば、無孔または有孔）を切手カード管理サーバ（100）に提供する。
【００５５】
また、ユーザ端末（200）は、切手カード管理サーバ（100）に接続して、切手カード管理サーバー（100）から提供する情報を確認することができる。このとき、ユーザ端末（200）は、ユーザーによって切手カードの後面にある切手カード管理サーバの接続情報を示すコード（例えば、バーコード、QRコードなど）をスキャンすると、コードに該当する情報を利用して切手カード管理サーバ（100）に接続することができる。
【００５６】
一実施例で、ユーザー端末（200）は、切手カード管理サーバ（100）に接続して、切手カード別で未使用切手カード及び、使用済み切手カードそれぞれの情報を確認することができる。これにより、ユーザーは、切手カードに該当する数量を確認した後、希少性のために切手カードを使用する頻度を下げることができ、切手カードの前面に表示された金額くらい発行国の収益拡大に繋がる。
【００５７】
また、ユーザ端末（200）は、切手カード管理サーバ（100）に接続して郵便料金納付のための決済要請信号を提供し、処理結果によって切手カード管理サーバー（100）から決済完了信号を受信する。
【００５８】
このとき、ユーザ端末（200）は、モバイル切手カードまたは実物の切手カードを利用して決済要請信号を切手カード管理サーバ（100）に提供し、切手カード管理サーバー（100）から決済完了信号を受信することができる。
【００５９】
ユーザー端末（200）は、切手カード管理サーバ（100）から決済完了信号を受信すると、受領方法を選択して、該当信号を出力デバイス（300）に提供して出力する。
【００６０】
一実施例では、ユーザー端末（200）は、受領方法がプリント出力を介した受領である場合は、切手の出力信号を出力デバイス（300）に提供する。
【００６１】
前記の実施例のように、ユーザ端末（200）は、場所に関係なく、該当国家の切手カード管理サーバ（100）に接続し、切手カードを利用して郵便料金を決済した後、個人所有の出力デバイス（300）を利用して、切手カードの発行国で承認された記念日スタンプ及び、切手を印刷して、個人デジタル切手（PDS：Personal Digital Stamp）を生成することができる。このとき、記念日スタンプは、既存の記念日スタンプと異なり、たった一日だけ使用することができるようにする。
【００６２】
他の一実施例で、ユーザー端末（200）は、受領方法が配送受領である場合、お届け先情報に対する情報提供信号を出力デバイス（300）に提供する。
【００６３】
出力デバイス（300）は、ユーザー端末（200）から切手出力信号を受信すると、切手出力信号によって切手を出力する。このような出力デバイス（300）は、プリンタ、印刷機などで具現することができる。
【００６４】
出力デバイス（300）は、ユーザー端末（200）から切手出力信号を受信すると、図2（a）〜図2（c）のように切手を出力することができる。
【００６５】
例えば、出力デバイス（300）は、図2（a）のような国内用切手、図2（b）及び、図2（c）のような国外用切手を出力することができる。このように、ユーザは、出力デバイス（300）を介して切手を出力した後、切手を郵便物に付着して発送することができる。
【００６６】
また、例えば、出力デバイス（300）は、図3（a）のような国内用発行初日封筒及び、図3（b）のような国外用発行初日の封筒を出力する。
【００６７】
図4及び図5は、本発明の一実施例に係る切手カードを示す例示図である。
【００６８】
図4及び図5を参照すると、切手カードそれぞれに切手発行の目的が存在する。例えば、図4（c）の切手カードは贈呈用切手カードであり、図5の切手カードは寄付金募金のための切手カードである。このような切手発給目的は、図4（b）の参照番号（550）のように切手カードの後面に位置することができる。
【００６９】
このような切手カードそれぞれの前面は、図4（a）及び図5に示すように切手の象徴穿孔（510）、国家別貨幣で決定された使用可能金額（520）、有効期間（530）と購買者の名前（540）を含む。
【００７０】
切手カードそれぞれの前面に表示された国家別貨幣に決定された使用可能金額（520）は、切手カードで納付可能な郵便料金を意味し、切手カードの競売の時に、競売に入札された入札金額は、当該金額以上でなければならない。
【００７１】
有効期間（530）は、切手カードを利用して決済を実行できる期間で、国家信用度と販売促進のために、発行日から特定期間（例えば、50年、100年）以上に設定される。
【００７２】
購買者の名前（540）は、切手カードの競売の時、競売に参加したユーザーの中で落札者の名前である。このように、切手カードに落札者の情報を刻印することにより、最初に切手カードを購買するための入札競争を誘発し、ユーザーの購買欲求を刺激することができる。
【００７３】
前記のように、本発明の切手カードは、既存の切手のように使い捨て使用で終わるのではなく、切手カードの前面に表示された金額（520）くらい繰り返し使用ができる。
【００７４】
切手カードの後面は、図4（b）に示すように切手発給目的（550）及び、切手カード管理サーバの接続情報を含む。切手カード管理サーバの接続情報は、QRコード、バーコードなどで具現される。これにより、ユーザーは、ユーザー端末（200）を利用して、切手カードの後面にある切手カード管理サーバの接続情報を利用して、切手カード管理サーバ（100）に接続した後、切手カードのすべての情報を得ることができる。
【００７５】
図6は、本発明の他の一実施例に係る切手カードを利用した切手発行システムを示すネットワーク構成図である。図6の一実施例は、切手カードを利用した切手発行システムがオンライン郵便局に適用され、切手カードを所持したユーザーがユーザー端末を介して郵便局のサーバーに接続して、切手発行または初日封筒を購買し、自分の個人出力デバイスを介して出力するとか、配送を受けることができるようにする一実施例に関するものである。
【００７６】
図6を参照すると、切手カードを利用した切手発行システムは、ユーザ端末（200）、出力デバイス（300）、郵便局サーバ（500_1〜500_N）と中央郵便局サーバ（600）を含む。
【００７７】
ユーザー端末（200）は、郵便局サーバ（500_1〜500_N）に接続して、発行初日封筒（First Day Cover）の製作要請信号を提供する。このとき、製作要請信号は封筒、カシェ（cachet）、ビニールカバーの有無などを含む。封筒は発行初日封筒を意味し、カシェは発行初日封筒に入る絵を意味し、カシェの有無はユーザーに選択によって決定される。ビニールカバーは発行初日封筒をきれいに配送受けるための包装を意味する。
【００７８】
その次、ユーザ端末（200）は、切手カードを利用して郵便物の種類（例えば、一般郵便、書留郵便）による郵便料金に対する要請信号を、郵便局サーバー（500_1〜500_N）に提供し、郵便局サーバ（500_1〜500_N）から決済完了信号を受信する。
【００７９】
郵便局サーバー（500_1〜500_N）は、ユーザ端末（200）から発行初日封筒の製作要請信号を受信すると、ユーザの選択情報によって発行初日封筒を製作してユーザーに配送処理する。
【００８０】
郵便局サーバー（500_1〜500_N）は発行初日封筒の製作の時に、切手カードを利用して郵便料金に対する決済手続をユーザー端末（200）に提供し、ユーザ端末（200）から決済手続を介して、切手カード情報、郵便物の種類（例えば、一般郵便、書留郵便など）による郵便料金の決済を処理する。
【００８１】
一実施例で、郵便局サーバー（500_1〜500_N）は切手カードの前面に表示された金額の中、残った金額が郵便料金以上であれば、購買を処理した後、残った金額を更新する。
【００８２】
他の一実施例では、郵便局サーバー（500_1〜500_N）は切手カードの前面に表示された金額の中、残った金額が郵便料金以下ならば、購買不可能信号をユーザー端末（200）に提供する。
【００８３】
郵便局サーバー（500_1〜500_N）は、ユーザ端末（200）から受信された受領方法によって、ユーザー端末（200）と連結された出力デバイス（300）を介して、発行初日封筒を出力する手続を提供するとか、ユーザー端末（200）から受信されたお届け先情報によって発行初日封筒を発送処理する。
【００８４】
前記の実施例で、郵便局サーバー（500_1〜500_N）は、ユーザ端末（200）から受信した受領方法が配送受領である場合、中央郵便局サーバ（600）に発行初日封筒の製作要請及び、配送要請をする信号を提供する。これにより、中央郵便局サーバー（600）は、発行初日封筒を製作した後、お届け先に配送処理する。
【００８５】
中央郵便局サーバー（600）は、発行初日封筒を製作した後、お届け先に配送処理する。たとえば、中央郵便局サーバ（600）は、図7（a）のように国内用一般発の行初日封筒を製作するとか、図7（b）のように国外用一般発行の初日封筒を製作することができる。
【００８６】
出力デバイス（300）は、ユーザー端末（200）から発行初日封筒の出力信号によって発行初日封筒を出力する。
【００８７】
図8は、本発明の他の一実施例に係る切手カードを利用した切手発行システムを示すネットワーク構成図である。図8の一実施例は、切手カードを利用した切手発行システムがオフライン郵便局に適用され、切手カードを所持したユーザーのみ郵便局内で切手発行または初日封筒を購買して出力できるようにする一実施例に関するものである。
【００８８】
図8を参照すると、切手カードを利用した切手発行システムは、郵便局用切手発行端末（600_1〜600_N）及び、出力デバイス（300）を含む。
【００８９】
郵便局用切手発行端末（600_1〜600_N）は発行初日封筒の製作要請信号を受信すると、ユーザの選択情報によって発行初日封筒を作成して出力デバイス（300）を介して出力する。
【００９０】
郵便局用切手発行端末（600_1〜600_N）は、切手の製作要請信号によって切手を出力デバイス（300）を介して出力する。
【００９１】
このために、郵便局用の切手発行端末（600_1〜600_N）は、郵便料金に対する決済手続を提供し、決済手続を介して切手カード情報、郵便物の種類（例えば、一般郵便、書留郵便など）を受信して郵便料金の決済を処理する。
【００９２】
一実施例では、郵便局用切手発行端末（600_1〜600_N）は、切手カードの前面に表示された金額の中、残った金額が郵便料金以上であれば購買を処理した後、残った金額を更新する。
【００９３】
他の一実施例で、郵便局用切手発行端末（600_1〜600_N）は、切手カードの前面に表示された金額の中、残った金額が郵便料金以下であれば購買不可能信号をユーザー端末（200）に提供する。
【００９４】
郵便局用切手発行端末（600_1〜600_N）は切手発行または初日封筒に対する決済が完了されると、出力信号を出力デバイス（300）に提供して出力する。
【００９５】
出力デバイス（300）は、郵便局用の切手発行端末（600_1〜600_N）から受信された出力信号によって、切手発行または初日封筒を出力する。
【００９６】
例えば、出力デバイス（300）は、図9（a）のように一般用発行初日封筒を出力し、図9（b）のように書留用発行初日封筒を出力する。
【００９７】
他の例えば、出力デバイス（300）は、図10（a）のように一般郵便物料金の切手を出力し、図10（b）及び図9（b）のように書留郵便物料金の記念日スタンプ及び、切手を印刷して、個人デジタル切手を生成することができる。このとき、郵便物の種類が書留である場合認証コード（たとえば、QRコード）を一緒に出力し、認証コードは、図10（c）〜図10（f）のように書留種類によって、お互いに違う色で表示することができる。例えば、一般書留又は航空書留のように書留種類によってコード色が違うことができるし、コードは書留番号以外の情報を含む。
【００９８】
図11は、本発明のまた他の一実施例に係る切手カードを利用した切手発行システムを示すネットワーク構成図である。
【００９９】
図11を参照すると、ユーザー端末（200）、出力デバイス（300）、郵便局サーバ（500）と郵便局職員端末（700）を含む。
【０１００】
ユーザー端末（200）、出力デバイス（300）、郵便局サーバ（500）及び、郵便局職員端末（700）を含む。
【０１０１】
ユーザー端末（200）は、郵便局サーバ（500）に接続して郵便発送情報（例えば、受信者、送信者、郵便物種類などを登録した後、郵便料金納付のための決済要請信号を、該当郵便局サーバ（500）に提供し、処理結果によって郵便局サーバー（500）から決済完了信号を受信する。
【０１０２】
このとき、ユーザ端末（200）は、モバイル切手カードまたは実物の切手カードを利用して
決済要請信号を切手カード管理サーバ（100）に提供し、切手カード管理サーバー（100）から決済完了信号を受信することができる。
【０１０３】
ユーザー端末（200）は、郵便局サーバ（500）から決済完了信号を受信すると、郵便局サーバ（500）から提供される出力手続によって出力デバイス（300）を介して郵便物登録確認書を出力する。
【０１０４】
ユーザー端末（200）は、郵便物登録確認書が郵便物に付着完了されることを指示する信号を郵便局サーバ（500）に提供する。
【０１０５】
出力デバイス（300）は、ユーザー端末（200）から受信された出力信号によって郵便物登録確認書を出力する。
【０１０６】
前記の出力デバイス（300）が郵便物の重量測定センサーを含む専用プリンタで具現される場合は、ユーザーが自宅で出力デバイス（300）を利用して、郵便物の重量を測定した後、決済することができるし、決済した後、郵便物の登録確認書を出力して郵便物に貼って使用することができるようにする。
【０１０７】
郵便局サーバー（500）は、ユーザー端末（200）から郵便料金納付のために決済要請信号を受信すると、決済要請信号によって郵便料金納付を処理した後、決済完了信号をユーザー端末（200）に提供する。
【０１０８】
その次に、郵便局サーバ（500）は、ユーザーによる決済が完了されると、郵便物登録の確認書を出力することができる手続をユーザー端末（200）に提供する。
【０１０９】
郵便局サーバー（500）は、ユーザー端末（200）から郵便物登録の確認書が郵便物に付着完了されたことを指示する信号を受信すると、郵便局職員端末（700）にユーザー情報を含む郵便物ピックアップ申請信号を提供する。
【０１１０】
郵便局サーバー（500）は、郵便局職員端末（700）から受信された郵便物収去完了信号によって、郵便物処理状況をユーザ端末（200）に提供する。
【０１１１】
郵便局職員端末（700）は、郵便局サーバ（500）から郵便物ピックアップの申請信号を受信すると、郵便ピックアップの申請信号に含まれたユーザー情報を表示する。これにより、郵便局職員は、ユーザー情報を利用して、ユーザーの位置に行って郵便物を収去した後、郵便局に伝達し、郵便局では料金に合うステッカーを出力して郵便物に貼って配送する。
【０１１２】
また、郵便局職員端末（700）は、郵便物収去完了の後に、郵送物収去の完了信号を郵便局サーバ（500）に提供する。
【０１１３】
これにより、郵便局窓口では、いちいち記録する手間が軽減され、切手カード所持者は郵便局まで行かなければならない不便を経験しなくてもよい。
【０１１４】
図面と明細書で最適の実施例を開示した。ここで特定用語を用いたが、これは単に本発明を示す目的で用いたものであり、意味の限定や特許請求の範囲に記載された本発明の範囲を制限するために用いたものではない。従って、当該技術分野の通常の知識を有する者であれば、多様な変形及び、均等な他の実施例が可能であることを理解すべきである。また、本発明の真の技術的保護範囲は、添付された特許請求の範囲の技術的思想によって定められる。
【図１】
2019516200.tif 000003
【図２】
2019516200.tif 000004
【図３】
2019516200.tif 000005
【図４】
2019516200.tif 000006
【図５】
2019516200.tif 000007
【図６】
2019516200.tif 000008
【図７】
2019516200.tif 000009
【図８】
2019516200.tif 000010
【図９】
2019516200.tif 000011
【図１０】
2019516200.tif 000012
【図１１】
2019516200.tif 000013
【国際調査報告】
2019516200.tif 000014
2019516200.tif 000015
2019516200.tif 000016
2019516200.tif 000017